【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
家庭用破砕式コンテナを含む、廃棄物の各種類に適応して想定された各種の変形型にあることを特徴とする都市固形廃棄物分別回収用破砕式コンテナであって、そのメカニズムが
コンテナ容器上部に位置するフレーム、スライド式上ぶたを開ける動作で動く歯付サイドシリンダー、各サイドシリンダーで作動し、同時に刃軸を動かす歯車のメカニズム（２０〜２５）、廃棄物の接近のための上刃軸、廃棄物量を減少させる破砕刃を持つ下刃軸を内蔵しており、
コンテナのスライド式上ぶた（１）の単純な手動操作は補助ペダル（４）で補強され、廃棄物のせん孔、切断、圧搾、破断を行う破砕刃に一層の回転力が加わり、（使用にいかなる種類のエネルギーも一切消費しない）手動機械方式の全面的に環境に優しい変形版のほか、電力を必要とする電動式もあり、
高密度ポリエチレン、低密度ポリエチレン、ポリスチレン、ポリプロピレン、ポリエチレンテレフタラートなどのプラスチック包装廃棄物専用の刃（５４，５５）と、
缶製品用の刃（金属製容器）（５２，５３）と、
テトラパック用の刃（５６，５７）と、
紙・板紙製品用の刃（５８，５９）と、
ガラス製品用の刃（６４，６５，６６，６７）と、
有機ゴミ用の刃（６０，６１，６２，６３）と、
リサイクル不可の廃棄物用の刃（６８，６９，７０，７１）
の刃のバージョンが、各コンテナ専用に考案されたものである、都市固形廃棄物分別回収用破砕式コンテナ。
【請求項２】
その破砕メカニズムにフレーム１本、ふたの開閉操作で動く２本のサイドシリンダー、廃棄物の接近のための上刃軸と下刃軸が内蔵されており、
下刃軸は、スライド式上ぶたの（１）の後方への水平運動を、コンテナ左右の側面壁上部にある、２本のサイドシリンダー（１０）の円運動に変換する。これは、左右対称の側面歯付ベルト（９）がファスナーの役割を果たし、目（シリンダー）上に回転する眉毛（湾曲状の上ぶた）のように、各サイドシリンダーを押し上げ、上ぶた下部の左右にある下部の回転式歯付ベルト（６）が、異なる軸上で回転する各サイドシリンダー上部の回転式歯付ベルトの歯を同一方向に動かすためであり、これによりスライド式上ぶた（６）が回転する軸とは異なる軸（１７）上で双方のシリンダーが回転し、サイドシリンダーの円運動が発生する、請求項１に記載の都市固形廃棄物分別回収用破砕式コンテナ。
【請求項３】
スライド式上ぶた（１）を手で開ける際の補助として、１本の水平ペダルバー（４）をコンテナ正面の下部に設置することを想定しており、
レバー１本、ブレーキパッド１本、歯車数本、チェーン１本で補強され、この水平べダルバーの下方移動で、コンテナ左右にある双方のサイドレバー（コンテナの左右を水平ペダルバーが側面の先端が繋いでいる形である）の下降の角運動が発生する。これにより、これらサイドレバー（１２）のもう一方の先端にある歯付ブレーキパッド（１３）（中間の軸上で事前に振動していた）が動き、同様にコンテナ両側面の下部にある大型歯車（８）の同軸上で、小型歯車を回転させる。この回転により、スライド式上ぶたの左右後方の両隅に直接連結し、小型歯車にかみ合わさった各大型歯車（８）に付着するチェーン（７）が巻き上がる。こうして、コンテナ底部にある歯車上でチェーンが巻き上ったために発生した下方へのけん引作用が、上ぶたをスライドで開けるのを補助し、容器後方の両隅からコンテナ底部への圧力は、上ぶたの回転式下部ベルトのストロークの終り（１６）を支える、コンテナ後方の両隅にある小型歯車（７８）で防御される、請求項１に記載の都市固形廃棄物分別回収用破砕式コンテナ。
【請求項４】
２本のサイドシリンダー（１０）の設置を想定しており、
奥の壁には刃軸（１８，１９）の誘導路が貫かれた半円形のエリアがあり、各サイドシリンダーの中心部には、フレーム内の支えのための外部軸（１７）があって、
これらのシリンダーは、それぞれの軸受け（３８）を介して矩形フレームに噛み合う、独自の軸上で回転する、請求項１に記載の都市固形廃棄物分別回収用破砕式コンテナ。
【請求項５】
フレーム（１４）の設置を想定しており、底もふたもなく高さの低い一種の矩形のボックスでできたフレームは、コンテナ底部の壁の上部にある一連のヒンジ（４１）でコンテナの容器に結合しており、これにはコンテナ内の廃棄物が出やすくするためにコンテナを下ろす場合（３）にフレームの開口部に角度を持たせる目的があって、フレームはサイドシリンダーと刃軸が発生させるねじりに対し十分に耐性のある素材で製造されていなければならず、双方とも支える容器（３）の独立した構造としてフレームを機能させる歯止めとして、フレームの左右両側の壁面に軸受け（１５）で支えられている、請求項１に記載の都市固形廃棄物分別回収用破砕式コンテナ。
【請求項６】
刃軸（２８，２９，３０，３１）の設定を想定しており、左右の先端にそれぞれ小型歯車（２０，２１，２２，２３，２４）のある刃軸は、これらの小型歯車がサイドシリンダー（１０からの回転を受けると動くようになっており、これらの小型歯車が各サイドシリンダー内に位置を定めると（刃軸もサイドシリンダーも、フレーム（１４）の左右でかみ合っているにも関わらず）、左シリンダー内にある４本の内歯車が、４本の各刃軸の左端を支え、右シリンダー内にある４本の内歯車が、同刃軸の各右端を支えるため、これら歯車の配置により、各シリンダーの同時回転が、各シリンダー内の小型歯車の同時回転を発生させ、各刃軸に３６０度の回転が起こり、ここでは例として４本の軸が各シリンダー内のそれぞれの小型歯車と一緒に描かれているが、それぞれの場合の必要性に応じて数は調整可能である、請求項１に記載の都市固形廃棄物分別回収用破砕式コンテナ。
【請求項７】
その破砕システムに、固定式でなく、可動式または回転式の軸に対する刃の支えを想定しており、前述の刃は軸のカムを押すスプリング周辺の軸の周りに位置しているため、軸周辺の刃の軸上グリップ部（４７）にある内部耐性スプリング（４５）が耐えうる限り、軸（２８〜３１）が回転し続けている場合でも、各刃（４３）の動きを中断したり抑止することが可能であり、これによりほとんどすべての廃棄物で回避不可能の、不適切な固い素材を破砕して通過させるのに必要な耐久性を刃に与えることができ、スプリングが徐々に通過させても、そのスプリング（軸の内部カム（４４）の近くに設置）の収縮率が最大に達すると刃の当初の抑止力を保つことができなくなり、メカニズムの耐性の限界に達すると、各種の廃棄物を破砕する有能な専用刃に、最後に強い衝撃が走る。各種の廃棄物に対し、強力タイプのスプリングを用いることを考慮に入れるべきであって、また、円形スプリングのストロークは長さに応じて調節することも可能である（例：円状の収納フレームにねじで留めるなど）、請求項１に記載の都市固形廃棄物分別回収用破砕式コンテナ。
【請求項８】
その破砕システムに、固定式でなく可動式の、軸に対する刃の支えを想定しており、刃のある軸の直角面に軸の斜め‐側面（５０，５１）の振幅または移動の動きを可能にする。これは、前述の刃が、支える軸に含まれる球形の土台の上で旋回するためであり、
前述の刃（廃棄物の各種類に適応した円形刃を用いるが、ガラス製品に関しては小型ハンマーによるメカニズムを採用）の間の閉鎖交差または一部交差によるせん孔、切断、破断、圧搾による問題を解決するため、このブロック防止システムは、軸と刃の間に安定スプリング（４９）を設置することにより、前述の刃に残りの刃に対する当初の平行位置を解除し、初期位置に戻るのを可能にする点が特徴であり、これにより硬すぎたり大きすぎるために破砕軸の機能をブロックしてしまい、破砕できないはずの廃棄物を、時折斜めに取り外すことで落下させることができる、請求項１に記載の都市固形廃棄物分別回収用破砕式コンテナ。
【請求項９】
その破砕システムで、金属製容器の破砕用の刃（５２，５３）として、鋭利で強力なものを想定し、上軸の歯にはクロー６個付き、下軸の刃にはクロー４個付きのものを予見している、請求項１に記載の都市固形廃棄物分別回収用破砕式コンテナ。
【請求項１０】
その破砕システムで、プラスチック容器の破砕用の刃（５４，５５）として、刃に短めの一連のカムを取り付けることを想定し、上軸、下軸の刃ともにクロー１２個付きのものを予見している、請求項１に記載の都市固形廃棄物分別回収用破砕式コンテナ。
【請求項１１】
その破砕システムで、テトラパックの破砕用の刃（５６，５７）として、容器用よりもさらに薄く縁の鋭利な刃を設置することを想定し、上軸の刃はクロー１２個付き、下軸の刃はクロー１６個付きのものを予見している、請求項１に記載の都市固形廃棄物分別回収用破砕式コンテナ。
【請求項１２】
その破砕システムで、紙・板紙製品の破砕用の刃（５８，５９）として、千切り状に破砕できるようにするため、従来ののこぎりの歯を持つ刃と刃の間をできるだけ近くに設置することを想定している、請求項１に記載の都市固形廃棄物分別回収用破砕式コンテナ。
【請求項１３】
その破砕システムで、有機ゴミの破砕用の刃（６０，６１）として、場所によっては数センチ幅のところもあり、縁は小さめの歯で覆われた、幅広の刃（６２）を想定している。刃と刃の間には、強力なゴム製ローラー（６３）を取り付け、各軸の円形刃の間に挿入したゴム製の円盤の密度に応じて有機ゴミの量を最大限減少できるようにする、請求項１に記載の都市固形廃棄物分別回収用破砕式コンテナ。
【請求項１４】
その破砕システムで、小型ハンマー付きの一連の円形刃（６４〜６７）を用いる、ガラス製品の破砕用の刃を想定している。これはお互いに連続してはめ込み可能であり（６７）、
各円盤に接続アームで取り付けた一連のハンマー（６５）が特徴で、円形部分に階段状にいくつも小型ハンマー（６６）が取り付けられており、らせん階段やプロペラのように見える円盤を１度回すと、ガラス製品の破砕用のエリアでは、円盤の２つのローラーそれぞれに取り付けた複数の小型ハンマーが、コンテナ中心部の解体エリアの全ポイントを打撃し、ここの例では、各円盤の四角い部分それぞれに２本ハンマーを取り付け、２つの円盤ローラーが逆方向に向き、それらの動作がそれぞれの破砕ポイントで４本のハンマーで打撃するメカニズムになっている、請求項１に記載の都市固形廃棄物分別回収用破砕式コンテナ。
【請求項１５】
その破砕システムで（６８〜７１）、前述のさまざまな種類の刃を混合したリサイクル不可の廃棄物用の下刃（６９）を想定しており、
要するに、缶用、プラスチック包装用、テトラパック用、紙・板紙製品用、有機ゴミ用（ガラスのハンマー方式以外の）の刃の混合である。これら４種類の刃の縁のタイプを、各刃（７０）の四角い部分上で回転するように組み合わせ、各刃を該当する軸に挿入し、４回転ごとに位置を変更し（結果として４枚目の刃が連続して異なる面に当たる）、３６０度回転した後には、前述の４つの破砕タイプで廃棄物が破砕されることを保証する。この種の不均質の廃棄物の破砕専用として、次の２つの特徴が挙げられる。刃は円形ではなくやや長円形であることが１つ、もう１つは、刃の回転が偏心軸上で、反対側の軸と同時に行われることである。その反対側の刃（同様に長円形）は、まったく同一の長円形でありながら、もう１つの刃と常に接触している。２枚目の刃が同様に偏心軸上で回転しても、最初の刃と１８０度反対側に焦点が存在するため、上から見ると、軸の規則的な回転により、刃の隣接エリアに蛇行が起こるのがわかる、請求項１に記載の都市固形廃棄物分別回収用破砕式コンテナ。
【請求項１６】
その破砕メカニズムで刃軸が回転する下の軸受けが、歯止めの役割を備えることを想定しており、
各軸受けに破砕の刃軸（１５）の両先端にある小型歯車を収納する目的で、前述の軸受けがフレームに噛み合っているとしても、歯止めの役割を持つ軸受けは（自転車の後輪の小歯車同様）、各刃軸の回転を唯一の方向にしか許さない。これは、軸受けまたは歯止めの小歯車が、軸の逆回転（自転車の後輪の小歯車と同様）を可能にすることなく、コンテナ容量が最大に達するまで、廃棄物が継続的に容器に投入される方向に他ならない。これが、シリンダーとその小型歯車が、廃棄物の投入方向から容器中心の投入部に向けて軸を回転させている限り、各駆動シリンダーが各刃軸に対して生み出す動きを伝達する理由であり、しかしながら、この歯止めは、シリンダーが方向を変えた場合には、「非駆動作用」も「スライド作用」も発揮せず、したがって、小型歯車は各刃軸への逆の動きをシリンダーから小型歯車に伝達せず、既に破砕された廃棄物は効果的に縮小されながら、容器を徐々にいっぱいにしていき、容器が満載になると、廃棄物の過剰充填によって、フレーム正面のふたが、フレーム底の側面にある固定ヒンジ上で旋回する容器上部まで押し上げられ、サイドシリンダーの機能が決壊されてストップし、スライド式上ぶたの動きが抑制される、請求項１に記載の都市固形廃棄物分別回収用破砕式コンテナ。
【請求項１７】
その破砕システムで、ふたを閉める動きで破砕のための回転が発生することを想定しており、
上ぶた（１）を開ける目的で後方の壁へ手動で動かした場合に発生する、コンテナ上部の上ぶたの移動で起こるのではなく、その逆で、コンテナのふたを閉める際の、上ぶたの前方への動きで発生する。この動きで、同時にサイドシリンダー（１０）も回転し、これにより、廃棄物の破砕というかなり危険な操作が、ふたが閉じた状態でのみ行われるのを保証し、このようにして、ふたが開いている場合に、刃のローラーの回転でネクタイが巻き込まれるというような、各種の危険を防止することができ、これらの措置が、３６０度のヒンジでスライド式ふたに取り付けられた、バイザータイプのふた（２）の使用で補助された場合、ふたが閉じていると、上ぶたの正面先端から垂直に落下し、また、安全ふたの役割を果たす一方（破砕エリアの高さで）、このスライド式上ぶたが開ける動きのスライドの最終地点にある場合は、廃棄物の投入のためには、前述のふたを後方へ押し上げるだけでよく、廃棄物投入後、破砕エリアに落ちて再びふたが閉まった場合は、このバイザータイプのふたがコンテナのスライド式上ぶたに結合している場合に限って、破砕操作を開始することができ、こうして廃棄物の投入口が閉じているため破砕操作の安全性が保証される、請求項１に記載の都市固形廃棄物分別回収用破砕式コンテナ。
【請求項１８】
その破砕システムで、一連の「ゆとりの耐性システム」（７２）の設置を想定しており、これは、破砕の下軸の端に安定性をもたらす機能を持つ、軸に垂直に交わる２本のスプリングを収納したボックスから成り、
破砕軸が詰まって発生する問題は、破砕下軸間の通過用のすき間よりも幅広い廃棄物が投入された場合（刃にすでに取り付けてある前述のスプリングのメカニズムの耐性や、刃軸上での刃間が支えられる斜めのねじれの耐性の限界に加え）が原因で発生し、対策として設置する「ゆとりの耐性」あるいは「ゆとり」（７６）のメカニズムの目的は、フレームの下軸の固定を起こす初期耐性をしのがせることにあり、これは、ゆとりの耐性システムを前述のスプリングのシステムに（下軸の右か左、あるいは左右の両先端に）、これらの下軸の先端を収容する目的の各ボックス（７５）内の各軸に対して直角に設置する（７３，７４）ことによって行い、これによりＲ‐３（２２）とＲ‐４（２３）の歯車を噛み合わせる金属製の安全チェーン（１１）の巻き上げにより、最終的に、シリンダー内の軸の先端の回転の管理が保証される、請求項１に記載の都市固形廃棄物分別回収用破砕式コンテナ。
【請求項１９】
その破砕システムで、金属製ブラシの設置を想定しており、その目的は、４本の刃軸の恒常的な清掃にあり、各軸（２８〜３１）の下にフレーム（１４）への固定グリップで設置し、ブラシの歯が刃の間に詰まったままの廃棄物を恒常的に除去し清掃するのを保証できるよう、縦の軸に対する各ブラシの歯の回転を想定しており、下軸の清掃に関しては、下軸Ｅ‐２（３０）とＥ‐４（２９）が右端のゆとりのある空間に移動する可能性を以前想定していたため、これらの軸のブラシの固定はフレームにではなく、これらの軸と恒常的に平行になるよう、軸に直接固定するピンを通して行うものとする、請求項１に記載の都市固形廃棄物分別回収用破砕式コンテナ。
【請求項２０】
その破砕システムで、フック（１０８）の設置を想定し、これは、コンテナの容器（３）を空にするための開閉を目的とし、フレーム（１０５）正面の下部に設置し、フックは、フレームが開いている場合は、フレームの下からはみ出し、閉じる場合には、コンテナ正面（１０７）の上端に専用に設けられたすき間にはまり込む予定であり、前述の「フック」に作動を解除する留め金（１０９）と接触しているそれぞれのスプリング（１０６）が与える抑圧的な効果により、スプリングがフックに与える圧力がブラシの歯（１１０）（回収トラックの荷降ろし用アームにある）で相殺されることも想定され、前述のフックの下部のすき間に対するブラシの歯の上昇圧力が、フックが閉まった状態の容器（１１１）に侵入するのを避け、ブラシの歯の圧力による開口を可能にする、請求項１に記載の都市固形廃棄物分別回収用破砕式コンテナ。
【請求項２１】
オプションとして、下のトレイとコンテナ底部の間に、家庭用のシンプルな重量計の設置を想定し、
重量の電子表示を完備する重量計の電力の供給は、電池またはバッテリー、充電式発電機（独自の回転で充電する）から行い、発電機は、刃軸（２８〜３１）の先端または、サイドシリンダーの軸（１７）に取り付け、デジタル式重量表示器をコンテナの見える位置に設置した場合、従来の重量記憶システムにより、これまで投入された廃棄物の重量を表示することができる、請求項１に記載の都市固形廃棄物分別回収用破砕式コンテナ。
【請求項２２】
コンテナが満載になったときに、最終重量のデータ収集のために、管理センターへ通報する可能性を想定し、
このためには、この電気回路（９７）に携帯電話でのＳＭＳ送信システムを付け加えるだけで良く（同様に独自の電池（９６）または充電式発電機で充電可能）、詰め込みすぎで、正面のフレーム（１４）が上がりすぎる場合は、メッセージが有効化し、恒常的な「ショート」が発生して、そのメッセージが実際に詰め込みすぎを示していることを保証し、このメッセージの表示を投入された重量のデータと組み合わせると、情報がリアルタイムで管理される利点もあり、満載のコンテナを常に把握することが可能になる。インターネットに既存のサーチプログラムを用い、シンプルなＧＰＳのナビゲーションシステムで順路を設計し、もっとも経済的な順路で回収することも可能になる、請求項１に記載の都市固形廃棄物分別回収用破砕式コンテナ。
【請求項２３】
電動動力を用いた代用となる破砕システムを想定し、
コンテナ（１）上部のスライド式上ぶたの手動移動によるメカニズムの起源を、コンテナのフレーム（１４）内の容器（３）から離れた場所に電気モーター（９５）を設置することで代用するものである。電気は外部電源（９８）またはコンテナに設置する携帯用電池（９６）から供給できる。当タイプの電動式コンテナの特徴は、シリンダーの駆動力が上ぶたからではなく、前述のモーターから得られている点で、その駆動軸はサイドシリンダーの片方か両方の中、あるいはシリンダーの機動力を保証する歯車のメカニズムを用いた、前述のシリンダーに隣接して設置することができる、請求項１に記載の都市固形廃棄物分別回収用破砕式コンテナ。
【請求項２４】
電動動力を用いた代用となる破砕システムを想定し、モーター（９５）の配置場所をフレーム内の代わりに、
コンテナ（３）下部の底の中心部に縦に置く可能性を設け、軸の先端がコンテナ左右の側壁（中心下部）からはみ出るようにし、円錐状に歯の付いた伝導軸、または滑車ベルトや歯車用チェーンを通じて、起動軸の先端が左右の各サイドシリンダー（１０）を動かし、起動伝導チェーンは、廃棄物用容器から離れた場所に独立した側面の枠組みの中で保護され、メンテナンスや修理のためのヒンジ付きの外ぶたで開け、小歯車変換システム（自転車のギア変換システムと類似）のベルトやチェーン設置（容器外側の上）の設置の場合は、これらのベルトや側面伝導チェーンを、シリンダーの軸の小歯車からシリンダーの小歯車に隣接する同一の別の歯車へそれと平行して移動させ、これは外部変換レバーを通して、前述の小歯車システムを起動させると、シリンダーの小歯車のチェーンを並行する小歯車へ移動させ、サイドシリンダーと、それを伝導チェーンへと束縛するフレームを解除し、容器を空にするフレームを通常の位置から自由にする目的があり、これによりサイドシリンダーが各駆動チェーンの移動と連結していないため、前述の歯車のメカニズムで駆動チェーンの移動が可能となることが想定され、また、同チェーンにはベルトやチェーンの垂直の移動に従って導入された補助的な張力歯車を取り付けることにより要求される耐性が与えられる、請求項１に記載の都市固形廃棄物分別回収用破砕式コンテナ。
【請求項２５】
家庭用破砕式コンテナに代わるシステムを想定し、その家庭用バージョンは、公道での使用専用のコンテナよりかなり小型だが、
破砕の動力は手動式または電動式のほか、混合式も可能であり、車輪付きの移動式コンテナのほか、クローゼットやキッチンの作業台の上や収納部屋などに保管できる固定式バージョン（９４）（いずれも小型）もあり、基本的な刃のメカニズムには、研究済みの各種の刃の設置を考慮に入れた（リサイクル不可ゴミ用の混合刃が最も適切に思われるが）ほか、家庭用コンテナの当バージョンには、基本型または一般型を特徴付ける前述の全ての請求オプションが盛り込まれている、請求項１に記載の都市固形廃棄物分別回収用破砕式コンテナ。
【請求項２６】
安全格子の存在を想定し、これは、操作が安全という保証がある場合のみ、安全ぶたが破砕メカニズムの実行を許可するものであり、
刃が動いている場合は、投入口のふたは閉まっているため（動力が機械式であれ電動式であれ）、あるいは、ふたが開いているときは、ふたと刃との間に安全格子が存在し、小型の廃棄物のみを通過させ、使用者の身体の一部を巻き込むのを回避し、破砕式コンテナ外側上部の開口部の隣にスイッチを設置し、電動式の場合には、使用者がモーターを止め、目詰まりの解決のために逆行させることも可能であり、また、手動システムでは、ガジオンピンが飛び出すと刃軸の回転動作をストップする手動ブレーキレバーを設置する。ガジオンピンは、シリンダー（８４）の回転式内部ベルトと駆動接触エリア正面の車輪Ｒ‐２（９０）の下にあり、下刃軸２本（９２）を動かす、請求項１に記載の都市固形廃棄物分別回収用破砕式コンテナ。
【請求項２７】
特定の種類の廃棄物の破砕に上ぶた（１）を開ける機械的操作では不十分で、
上ぶたが１度開くごとに、破砕刃（３９，４０）の各軸が１回転以上するのが適切と考えられる場合には、上ぶた（１）下部の左右に接触する側面回転式ベルト（９）と、左右シリンダー（１０）の回転式ベルトの間に、二重展開の歯車を介在させるだけでよく、上ぶた（１）と駆動接触する歯車が、同心の別の歯車を２倍（または３倍、４倍など）の歯数で同時に動かし、各サイドシリンダー（１０）の回転式ベルトを動かす役割を果たす、破砕刃の二重展開バージョンを想定している、請求項１に記載の都市固形廃棄物分別回収用破砕式コンテナ。
【手続補正２】
【補正対象書類名】明細書
【補正対象項目名】全文
【補正方法】変更
【補正の内容】
【発明の詳細な説明】
【発明の名称】都市固形廃棄物の分別回収用破砕式コンテナおよび、家庭用破砕式コンテナを含む、各種廃棄物専用の適応バージョン
【技術分野】
【０００１】
当発明は、破砕技術分野に属し（２００６．０１国際特許分類第８版の「Ｂ０２Ｃ」）、既存の廃棄物用公共コンテナへのメカニズムの導入を通して、人間の日常生活で発生する各種の都市固形廃棄物の量の削減を可能にし、現存の廃棄物リサイクルシステムに貢献することを目的としている。これにより、天然資源のこれ以上の変換を阻止し、枯渇の進む原料の無責任なムダ使いの削減に努める。当システムは、歯車のメカニズムを利用したシンプルな手動メカニズムに基づく。コンテナ上部のスライド式上ぶたを開ける単純動作が刃軸の回転運動に変換され、包装容器、缶、紙製品、有機ゴミ、リサイクル不可のゴミ、ガラス製品に至るさまざまな都市固形廃棄物の量を、廃棄物の種類別に適応する各種の刃で減少させる（ガラス製品の場合は小型ハンマーを備えた円形刃で置き換える）。使用者の体重をかけるだけで動くべダルで補助し、破砕刃に一層の回転力を加える（このペダルは、硬い金属製の缶の場合には不可欠である）。
【０００２】
当発明の手動バージョンの操作は、電動バージョンと異なり、手動機械方式でいかなる種類のエネルギーも一切消費しないため、全面的に環境に優しいものである。欧州の各行政機関（地方行政自治体）との協調により、ＥＵ加盟国に次の目標達成を義務付ける２００４／１２／ＣＥ指令（現在、移行の第二段階にある）の準拠を目指す。
ａ）２００８年１２月３１日までに、包装容器廃棄物のリサイクル率を重量の５５％〜８０％とする。
ｂ）２００８年１２月３１日までに、包装容器廃棄物の素材のリサイクル率の最低目標の達成を以下のように目指す。
ｉ）ガラス製品の重量の６０％。
ｉｉ）紙・板紙製品の重量の６０％。
ｉｉｉ）金属製品の重量の５０％。
ｉｖ）プラスチック製品の重量の２２．５％（プラスチックに再加工できる素材のみを計算）。
ｖ）木製品の重量の１５％。
【背景技術】
【０００３】
この背景技術に最も関連性の強い特許は、英国特許第２４０７２８２号である。当出願書で申請する発明は、コンテナ上部のスライド式上ぶたの移動によって内蔵する歯車メカニズムが作動する点（これは前述の特許ＧＢ２４０７２８２では想定されていない）が、前述の英国特許第２４０７２８２号と相違している。したがって、当発明の対象物は新しいものであり、当発明が解決を望む問題は、歯車の動作に代わる対策の提案として考慮されるべきものである。従って、ＰＣＴ３３条（３）に基づく発明行動を含む。なぜならば、それは背景技術に含まれていないだけでなく、少なくとも優先日までは、背景技術から明確な方法で控除できないからである。
【発明の開示】
【課題を解決するための手段】
【０００４】
以前の特許で提示し、一般的にも言えることであるが、欧州における現在の都市固定廃棄物の分別回収方法は、色や形状のみに違いのある類似した廃棄物用コンテナの公道への設置に基づいている。これに対し、当発明は、現存の廃棄物回収システムで回収した廃棄物量を、５〜１０分の１まで減少させるメカニズムの導入に基づく画期的なものである。一連の歯車により作動すると共に、同時にコンテナ上部のスライド式上ぶたの移動により作動する歯付きシリンダーによって動く刃のシステムをコンテナに導入し、せん孔・圧搾用の刃やガラス破壊用の小型ハンマーを活用したシステムで破砕を保証する。所轄の行政機関は、地元の廃棄物分別回収の公共サービスに対し、都市固形廃棄物の回収は、廃棄物の種類別に異なる専用コンテナの導入を通じて行うように要求する。その際、最低でも以下のコンテナの種類の存在を要求する。
‐高密度ポリエチレン、低密度ポリエチレン、ポリスチレン、ポリプロピレン、ポリエチレンテレフタラート製品専用コンテナ（色の例：イエロー）
‐缶専用コンテナ（色の例：グレー）。
‐テトラパック専用コンテナ（色の例：シルバー）。
‐紙・板紙製品専用コンテナ（色の例：ブルー）。
‐ガラス製品専用コンテナ（色の例：ライトグリーン）。
‐有機ゴミ専用コンテナ（色の例：ブラウン）。
‐リサイクル不可の廃棄物専用コンテナ（色の例：通常使われるダークグリーン）。
上記コンテナの種類は、その後、各市町村に設けられた公共の特殊ゴミ回収所に導入可能な、次の廃棄物の分別回収専用コンテナへと範囲を広げることもできる。電池、大型家電製品、木製家具・板・その他の大型ゴミ、布製品、使用済み油やクリーナー、ニス、塗料、洗剤、医薬品など、環境汚染の可能性を持つ、生物非分解性の廃棄物。
【発明を実施するための最良の形態】
【０００５】
当発明の技術面に関して述べると、破砕のメカニズムの第一段階は、コンテナ上部にある湾曲型のスライド式上ぶた（１）の後方への水平移動で発生する、機械的運動の変換に基づいている。上ぶたを開ける動作（１６）が、コンテナの側面壁（左右の上部）に位置する歯車の２本のシリンダー（１０）の円運動に変換される。ファスナーのようにかみ合っていく、歯車の対照的な歯のメカニズムで、各シリンダーは目（シリンダー）の上で回転する眉（湾曲型の上ぶた）のように回転する。各シリンダーの位置がコンテナの左右側面の上部に達すると、スライド式上ぶたの独自の回転軸（６）上での移動により、上ぶた下部の左右側面にある歯付ベルト（９）が、外面の歯または独立したフレーム（１４）で支えられた各サイドシリンダーの「回転ベルト」（９）を動かす。このようにして、サイドシリンダーの円運動が発生する（図２．１，２．２，２．３参照）。
【０００６】
スライド式上ぶたの開閉を手（５）で補助する目的で、コンテナ正面の下部に水平バー（４）を設置する（図１参照）。上ぶたを開ける際により一層の力をかけるため、水平バーからの下降運動を、コンテナの左右両側にある各サイドレバー（１２）の下方への角運動へと変換する。各レバーの底部にある歯付パッド（１３）の動作（１７）により、コンテナ両側面の下部にある大型歯車上に同心円状にかみ合う小型歯車の回転が発生する。この回転で、両側にある各歯車に巻かれたチェーンが巻き上がり、スライド式上ぶたの左右側面の後隅に直接連結する（図２．２と２．３参照）。これは、チェーン（７）がコンテナ底部（８）にある歯車に巻きついたけん引作用で、スライド式上ぶたを開けやすくするためである。この後、破砕のメカニズムの第二段階では（時間的には同時進行）、コンテナの左右側面の上部に位置する各シリンダー上にスライド式上ぶたがもたらす動きで、２つの各シリンダーにれぞれの軸上で回転の円運動が同時に発生すると（図３．１と３．２参照）、これらのシリンダーは、各シリンダー内にある歯車（２０，２１，２２，２３，２４，２５）を回転させる（左シリンダーに関しては４．１と４．２参照。右シリンダーに関しては５．１と５．２参照）。これらのシリンダーを支えるそれぞれの軸は、各軸受け（３８）によって矩形フレームに噛み合っている（図６参照）。
【０００７】
内層としてコンテナ内側の上部末端にあるフレーム（１４）は、それを支える刃軸（２８，２９，３０，３１）が起こすと予想される、ねじれに対して十分な耐性のある素材で作られなければならない（図２およびそれ以降は、４つの刃軸で描かれているが、これらの軸は必要に応じて数を調節できる）。各軸の先端にあるそれぞれの小型歯車で動く軸は、サイドシリンダーの回転作用で動き出す（図６参照）。これらの刃軸の小型歯車はサイドシリンダーの内部にあるため、たとえこれらの軸が、歯止め（１５）となる軸受け（同様に各軸の左右末端に位置している。図７と８参照）を介してフレームの左右側面で支えられているとしても、フレームはそれを支える容器（３）に対する独立した構造となり、コンテナ後方壁上部にある数本のヒンジ（４１）で、底部への固定は保証されている（図６，７．３，図８，図２０参照）。これは、容器上でフレーム全体を折りたため、容器に投入された廃棄物（包装容器、缶など）を空にするのを可能にするためである。双方のシリンダーにより同時に動く横軸上に垂直に設置された刃（３９，４０）の動きで廃棄物が破砕されると、歯止めとなる軸受けでフレームに組み込まれ（図８の位置１〜４）、双方のサイドシリンダーもまた、折りたたみ式のフレームに組み込まれる。
【０００８】
これは、この破砕のメカニズムの第三段階では、第一、第二と時間的には一致しているものの、ふたの動きで発生するサイドシリンダー２本の同時動作が、２本のサイドシリンダー内で接合した４本の小型歯車の各グループの次の同時回転を発生させるためである。一方では、左シリンダー内にある４本の内部歯車が、４本の刃軸それぞれの左端を支え、もう一方では、右シリンダー内にある４本の内部歯車が、４本の刃軸それぞれの右端を支える。各シリンダー内にある、この歯車の配置によって、各シリンダーの同時回転が（ふたのスライドで発生）、各シリンダー内にある各小型歯車の同時回転を開始させ、各刃軸の回転が発生する。各シリンダー内部の車輪（Ｒ‐１，Ｒ‐２，Ｒ‐３，Ｒ‐４。例では３０本の歯付きで描写。）は、実際はフレーム上で支えられている４本の刃軸を３６０度回転させる。したがって、このフレームは、４本の刃軸と並び、２本のサイドシリンダーの実際の支えとなっている。これら全ては、軸受けでフレームに斜めに噛み合っている（図６，７，８参照）。つまり、シリンダーは軸を支えるのではなく、軸を動かすのみである。
【０００９】
この破砕のメカニズムの第三段階では、次の点に留意してほしい。各サイドシリンダーの下部にある４本の小型歯車の珍しい配置（図６参照）により、一方では、半径が同一の歯車Ｒ‐１とＲ‐２（いずれも例では前述の内部シリンダーの回転用歯付ベルト同様、シリンダーの内歯３０本で描写、その内部シリンダーは１２０本の内歯で描写されている。）は、コンテナのスライド式上ぶたがコンテナ後方の壁へ移動するのと同時に回転し、この移動によって双方のサイドシリンダーは、フレーム内の各軸上で次の方向に回転する。
【００１０】
左シリンダーはコンテナの外側から見て反時計回りに、右シリンダーは同様にコンテナの外側から見て時計回りに回転し、それにより、各シリンダー内にある４本の歯車の同時動作が発生する。その結果、次の変化が生じる。まず（図６参照）、左シリンダー（‐Ｔ‐Ｌ‐）のＲ‐１（２０）とＲ‐２（２１）はコンテナ内から見て時計回りに回転する。一方、内部歯車Ｒ‐３（２２）とＲ‐４（２３）（構造はＲ‐１とＲ‐２と全く同一）は、同様にコンテナ内から見て反時計回りに回転する。これは、小型内部歯車Ｒ‐５（２４）（図６参照）の介在の原因となる、シリンダーの初期回転の変化によって起こる。この介在により、シリンダーの内輪の回転式ベルトが、時計回り方向の動きに変わり、隣接するＲ‐３の歯車に逆の動き、Ｒ‐２のホイールがＲ‐４にもたらしたのと全く逆の作用、つまり、反時計回りの動きを与える。歯と隣接しているため、駆動歯車のＲ‐２は、隣接するＲ‐４に逆の動きをもたらし、右シリンダーでは同一の逆のプロセスが発生する。
【００１１】
したがって、これを説明するために、従来の機械的動作の４番目の作用として以下のことを特筆したい。破砕軸の回転は、１番目と２番目の軸（Ｅ‐１（３１）とＥ‐２（３０））の場合は、左シリンダー内で、コンテナ内部から見て時計回りに回転する。一方、同Ｅ‐１とＥ‐２の軸は、右シリンダー内で、同様にコンテナ内部から見て反時計回りに回転する。また、３と４の軸（Ｅ‐３（２８）とＥ‐４（２９））は、左シリンダー内にしろ右シリンダー内にしろ、１と２の軸とは逆に回転する。これにより、同時動作が発生し、同時に２本の上部の刃軸の相互間（Ｅ‐１とＥ‐３）および、２本の下軸間（Ｅ‐２とＥ‐４）で、反対方向の動きが発生する。これは、最初の２本は、投入された廃棄物を、破砕するためにコンテナの中心付近に運ぶ役目があるためで、Ｅ‐１とＥ‐３の上軸を相互間で逆方向に回転させ、前述の廃棄物を押し出し、圧縮する一方で、Ｅ‐２とＥ‐４の下軸付近に運ぶ。これらの軸は、廃棄物の破砕機能はもちろん、誘引機能も発揮し、相互間で逆方向に回転し、上軸が接近させた廃棄物を破砕し、コンテナの容器の底に落とす役割を果たす。
【００１２】
破砕のメカニズム：軸刃間の閉鎖交差または一部交差による廃棄物破砕の圧搾システムは、各種の廃棄物（小型ハンマーによるメカニズムを採用するガラス製品以外）で同一であるが、円形刃（４３）の形状は、破砕する廃棄物の種類によって異なる。いずれにせよ、この新式の刃のメカニズムは、これらの刃の軸に対するグリップが固定式でなく（電動式破砕機を付属させるため）、二重の意味で可動式であるのが特徴である。
【００１３】
Ａ）第一に、回転グリップ内での可動性である。これは、軸周辺の刃の軸（４７）上のグリップ部にある、内部耐性スプリング（４５）が耐えられる限り、軸が回転し続けている場合でも、各刃の動きを中断したり抑止することを可能にするためである。これによって、ほとんどすべての廃棄物で回避不可能の、不適切な固い素材を破砕するのに必要な耐久性を刃に与えることができる。スプリングが廃棄物を徐々に通過させても、そのスプリング（軸の内部カム（４４）の近くに設置）の収縮率が最大に達すると、刃の当初の抑制力を保つことができなくなる（図９．１，９．２，９．３，９．４参照）。メカニズムの耐性の限界に達すると、各種の廃棄物を破砕する有能な専用刃に、最後に強い衝撃が走る。各種の廃棄物に対し、強力タイプのスプリングを用いることを考慮に入れるべきである。また、円形スプリングのストリークは、円形の収納フレームでねじで留めるなどして、長さに応じて調節することも可能である。
【００１４】
Ｂ）第二に、回転耐性のあるこの刃のメカニズム（３９，４０）は（軸（５０，５１）の独立可動性のため）、刃のある軸の直角面に、刃の斜め‐側面の移動を可能にする、第二のブロック防止システムを完備している。これにより、残りの刃との当初の平行位置は解除され、時折斜めに外れることで、固すぎたり大きすぎるために破砕軸の機能をブロックしてしまい、破砕できなかった廃棄物が落下するのを可能にしてくれる。（図１０〜１２参照）。これは、刃を初期位置に戻す目的で、軸周辺の刃の間に安定スプリング（４９）を設置するためである。
【００１５】
各刃のタイプの設計に関しては、金属製の缶の場合には、刃は鋭利で強力なものが望ましい（図１３参照。上軸（５２）の歯はクロー６個付き、下軸（５３）の刃はクロー４個付き）。また、プラスチック包装廃棄物の場合は、刃に一連の短めのカムを取り付けることが望ましい（図１４参照。上軸（５４）、下軸（５５）‐の刃ともにクロー１２個付き）。アルミ箔ラミネートのテトラパックの場合は、薄く縁の鋭利な刃でなければならない（図１５参照。上軸（５６）はクロー１２個付き、下軸（５７）‐はクロー１６個付き）、紙・板紙製品の場合の刃は、刃と刃の間ができるだけ近くなるように設置し、下刃は従来ののこぎりの歯（５９）を持ち、千切り状に破砕できるようにする（図１６参照。歯数４０。）。
【００１６】
有機ゴミの場合は、場所によっては数センチ幅のところもあり、縁は小さめの歯（６２）で覆われた、幅広の刃（６１）を軸に取り付けることを提案する。刃と刃の間には、強力なゴム製ローラーを取り付け、各軸の円形刃（６３）の間に挿入したゴム製の円盤の密度に応じて有機ゴミの量を最大限減少できるようにする。（図１７参照）。ガラス製品の破砕のメカニズムは、連続して挿入可能な一連の円盤（６６）に基づく。各円盤に接続アームで取り付けた一連の小型ハンマー（６５）が特徴で（図１８参照。この例では８本（６４）で描写）、円形部分に階段状に小型ハンマーがいくつも取り付けられている。らせん階段（６７）やプロペラのように見える円盤を１度回すと、ガラス製品の破砕用のエリアでは、円盤の２つのローラーそれぞれに取り付けた小型ハンマーが、コンテナ中心部の解体エリアの全ポイントを打撃する。ここの例では、各円盤の四角い部分それぞれに２本ハンマーを取り付け、２つの円盤ローラーが逆方向に向き、それらの動作がそれぞれの破砕ポイントで４本のハンマーで打撃するメカニズムになっている。最後に、リサイクル不可の廃棄物（図１９参照）用の刃（６８，６９）には、前述のさまざまな種類の刃を混合した刃が望ましい。要するに、缶用、プラスチック包装用、テトラパック用、紙・板紙製品用、有機ゴミ用の刃であり、ガラスのハンマー方式を除いたものである。これら４種類の刃の縁のタイプを、各刃（７０）の四角い部分上で回転するように組み合わせ、各刃を該当する軸に挿入し、４枚ごとに回転位置を変更し（結果として４枚目の刃が連続して異なる面に面する）、３６０度回転した後には、前述の４枚の破砕タイプで廃棄物が破砕されることを保証する。この種の不均質の廃棄物の破砕専用として、次の２つの特徴が挙げられる。刃は円形ではなくやや長円形（７１）であることが１つ、もう１つは、刃の回転が偏心軸上で、反対側の軸と同時に行われることである。その反対側の刃（同様に長円形）は、まったく同一の長円形でありながら、もう１つの刃と常に接触している。２枚目の刃が同様に偏心軸上で回転しても、最初の刃と１８０度反対側に焦点が存在するため、上から見ると、軸の規則的な回転により、刃の隣接エリアに蛇行が起こるのがわかる。しかしながら、この破砕のメカニズムをさらに興味深いものにしているのは、フレームに噛み合わさった刃軸を収容する各軸受け（１５）に備わる、歯止めの機能である。この機能によって（自転車の後輪の小歯車同様）、刃軸を唯一の方向にのみ回転させる。これは、コンテナ容量が最大に達するまで、廃棄物が継続的に容器に投入される方向に他ならない。刃軸がサイドシリンダーを逆方向へ引き戻す場合は、歯止めの歯車が刃軸を逆回転させない。歯車が刃軸を初期方向に無限に回転させたとしても、この方法では廃棄物が初期投入口から逆方向へ出るのを阻止する（これは、ペダルを踏んでいなくても、自転車の後方の歯車が回転し続けるのと同じ）。こうして、最大限まで廃棄物を投入することが可能になり（その場合の各種廃棄物の状況と成分による）、歯止めが許すかぎり投入された廃棄物は、時間を掛けて徐々に内容が圧縮されていく。したがって、廃棄物全ての破砕・投入にふたのスライド１回だけでは不十分な場合は、ふたをもう一度開けて動かし、全てが落下するまで繰り返すだけでよい。唯一、予想されるブロックの可能性は、容器上部まで過剰に廃棄物が投入されることでフレームが上へ押し上げられ、サイドシリンダーが回転して発生する。こうして、フレームが初期位置から外れ、フレーム底部の側面にある固定ヒンジが動いて正面のふたが上がり、フレームが上がることで、メカニズム全体の動きの起源である、スライド式上ぶたの動きが阻止される。
【００１７】
この破砕のメカニズムのもう１つの特徴は、スライド式上ぶたの移動の伝達にある。コンテナの２つのサイドシリンダーの回転を発生させるこの動きは、上ぶたを開ける目的で後方の壁へ手動で動かした場合に発生する、コンテナ上部の上ぶたの移動で起こるのではなく、その逆で、コンテナのふたを閉める際の、上ぶたの前方への動きで発生する。これにより、廃棄物の破砕というかなり危険な操作が、ふたが閉じた状態でのみ行われるのを保証する。このようにして、ふたが開いている場合に、刃のローラーの回転でネクタイが巻き込まれるというような、各種の危険を防止することができる。これらの措置が、３６０度のヒンジでスライド式ふたに取り付けられた、バイザータイプのふた（２）の使用で補助された場合、ふたが閉じていると、上ぶたの正面先端から垂直に落下する。また、安全ふたの役割を果たす一方（破砕エリアの高さで）、このスライド式上ぶたが開ける動きのスライドの最終地点にある場合は、廃棄物の投入のためには、前述のふたを後方へ押し上げるだけでよい。廃棄物投入後、破砕エリアに落ちて再びふたが閉まった場合は、このバイザータイプのふたがコンテナのスライド式上ぶたに結合している場合に限って、破砕操作を開始することができる。こうして、廃棄物の投入口が閉じているため、破砕操作の安全性が保証される。
【００１８】
最後に、破砕軸のつかえで発生しうる問題に関して説明しよう。これは、破砕下軸間の通過用のすき間よりも幅広い廃棄物が投入された場合や、刃にすでに取り付けてある前述のスプリングのメカニズムの耐性や、刃軸上での刃間が支えられる斜めのねじれの耐性の限界が原因で発生する。対策として設置した「ゆとり」の最新メカニズム（図２１参照）の目的は、フレームの下軸の固定を起こす初期耐性をしのがせることにある。これは、耐性スプリングのシステムあるいは、「ゆとりの耐性のシステム」（７２）を各軸の先端のいずれか（左か右、または左右の両先端）に取り付けることで実現する。これらのスプリング（７６）は、下軸の先端を留めるためのフレームの側面に備えた各ボックス（７５）（図２１．１、図２１．２、図２１．３参照。ここの例では、右側面にある）内で、各軸に対して直角に設置し、その唯一の目的は、ハサミが開く（７４）時と同様に、通常、平行に並んでいる刃の２つの内軸（７３）の閉鎖を解除し、時折通過用の角度（７７）を開かせることである。こうして、Ｒ‐３とＲ‐４の歯車（図２１．２と２１．３参照）を噛み合わせる金属製の安全チェーン（１１）の巻き上げにより、最終的に、シリンダー内の軸の先端の回転の管理が保証される。巣箱内で時折スライドするためＲ‐４の初期位置が失われても、前述のチェーンに対する小型歯車Ｒ‐６（２５）の張力により、旋回が必然的に起きる。Ｒ‐６の張力軸により、Ｒ‐４歯車の初期位置に変動があっても、前述の金属チェーンは変わらずぴんと張られている。
【００１９】
最終的に、フレーム内にある同一の別のスプリングの巣箱内で先端が滑り出すため、下軸Ｅ‐２の強制的な移動が起こる。この強制的な移動は、チェーンを必要とせずに起こるが、右シリンダーの輪の回転式内部歯付ベルトに従って、上傾方向で起こるはずである。
【００２０】
また、４本の刃軸の恒常的な清掃用として、縦軸に対してブラシの歯が回転するよう、フレームへの固定グリップで各軸の下に金属製ブラシを設置し、ブラシの歯が、刃の間に詰まったままの廃棄物を恒常的に取り除き清掃するのを保証する。上軸に対してはフレームへ固定することが考慮されるが、下軸の清掃に関しては、下軸Ｅ‐２とＥ‐４が右端のゆとりのある空間に移動する可能性があるため、ブラシの固定はフレームにではなく、下軸と恒常的に平行になるよう、下軸に直接固定するピンを通して行うものとする。
【００２１】
コンテナの中を空にするため、フレーム正面下部（１０５）に、開閉用の湾曲したフック（１０８）２本を設置を想定した。この２本のフックは、スプリング（１０６）からの圧迫作用で、通常はコンテナ正面上部（１０７）の縁にはまっている。しかし、ゴミ収集トラックの昇降アームブラシ（１１０）が、留め金（１０９）に与える圧力によってこの圧迫は解除され、容器正面の下部空洞部にはまり、フレームのフック（１１１）が外れる。
【００２２】
また、オプションとして、下のトレイとコンテナ底部の間に、家庭用のシンプルなデジタル式重量表示計の設置も想定した。低予算であるため、電力の供給は、刃軸の先端のいずれかに発電機を取り付け、電池または充電式発電機（発電機の回転で充電可能な懐中電灯のように市販されているもの）から行う。あるいは、その他の補足の発電機を双方のサイドシリンダーの軸に取り付け、コンテナ正面上部にデジタル式重量表示を設置する可能性も考えられる。これにより、当破砕式コンテナを使用する度に、従来の重量記憶システムにより、これまで投入された廃棄物の重量の表示や、市町村別に収集したデータや廃棄物の実際の重量を、仮定のオペレーションセンターに送信することも可能になるだろう。また、コンテナが満載になったときに、前述のセンターに連絡することも可能である。このためには、この電気回路に携帯電話でのＳＭＳ送信システムを付け加えるだけで良い（同様に電池または充電式発電機で充電可能）。詰め込みすぎで、正面のフレームが上がりすぎる場合は、「ショート」が恒常的に表示され、そのメッセージが実際に詰め込みすぎを示していることを保証する。このメッセージの表示を投入された重量のデータと組み合わせると、情報がリアルタイムで管理される利点もあり、満載のコンテナを常に把握することが可能になる。インターネットに既存のサーチプログラムを用い、シンプルなＧＰＳのナビゲーションシステムで順路を設計し、もっとも経済的な順路で回収することも可能になる。
【００２３】
電動バージョン：（図２４参照）
この最初のオプションは、環境保護的には余り優れていないが、コンテナ上部のスライド式上ぶたの手動移動によるメカニズムの起源を、コンテナのフレーム内の容器から離れた場所に電気モーター（９５）を設置することで代用するものである。電気は外部電源（９８）またはコンテナ内に取り付ける携帯用電池（９６）から供給できる。当タイプの電動式コンテナの特徴は、シリンダーの駆動力が上ぶたからではなく、前述のモーターから得られている点で、その駆動軸はサイドシリンダーの片方か両方の中、あるいはシリンダーの機動力を保証する歯車のメカニズムを用いた、前述のシリンダーに隣接して設置することができる。
【００２４】
電気モーターの設置場所のオプションとしては、コンテナ下部の底の中心部に縦に置く可能性を設けた。軸の先端がコンテナ左右の側壁（中心下部）からはみ出るようにし、円錐状に歯の付いた伝導軸、または滑車ベルトや歯車用チェーンを通じて、起動軸の先端が左右の各サイドシリンダーを動かす。起動伝導チェーンは、廃棄物用容器から離れた場所に独立した側面の枠組みの中で保護され、メンテナンスや修理のためのヒンジ付きの外ぶたで開ける。小歯車変換システム（自転車のギア変換システムと類似）のベルトやチェーン設置（容器外側の上）の設置の場合は、これらのベルトや側面伝導チェーンを、シリンダーの軸の小歯車からシリンダーの小歯車に隣接する同一の別の歯車へそれと平行して移動させる。これは、外部変換レバーを通して、前述の小歯車システムを起動させると、シリンダーの小歯車のチェーンを並行する小歯車へ移動させ、サイドシリンダーと、それを伝導チェーンへと束縛するフレームを解除し、容器を空にするフレームを通常の位置から自由にする目的がある。これにより、サイドシリンダーが各駆動チェーンの移動と連結していないため、前述の歯車のメカニズムで駆動チェーンの移動が可能となることが想定される。また、同チェーンには、ベルトやチェーンの垂直の移動に従って導入された、補助的な張力歯車を取り付けることにより、要求される耐性が与えられる。
【００２５】
家庭用破砕式コンテナバージョン：（図２２および２５．１参照）
また、破砕式コンテナの家庭用バージョンも想定した。小型だが、破砕の動力は同様に、手動式または電動式のほか、混合式も可能である。車輪付きで公道での使用専用のものより小型の移動式コンテナ（９４）のほか、クローゼットやキッチンの作業台（８８）の上や収納部屋などに保管できる固定式バージョン（いずれも小型）もある。基本的な刃のメカニズムには、研究済みのあらゆる刃の設置を考慮に入れた（リサイクル不可のゴミ用の混合刃が最も適切に思われる）ほか、家庭用コンテナの当バージョンは、基本型または一般型を特徴付ける前述の全ての請求オプションが盛り込まれている。
【００２６】
一方、これらすべての家庭用破砕コンテナ各種の特徴は、刃が動いている場合は、投入口のふたは閉まっているため（動力が機械式であれ電動式であれ）、あるいは、ふたが開いているときは、ふたと刃との間に安全格子が存在し、小型の廃棄物のみを通過させ、使用者の身体の一部を巻き込むのを回避する。破砕式コンテナ外側上部の開口部の隣にスイッチを設置し、電動式の場合には、使用者がモーターを止め、目詰まりの解決のために逆行させることも可能である。また、手動システムでは、ガジオンピンが飛び出すと刃軸の回転動作をストップする手動ブレーキレバーを設置する。ガジオンピンは、シリンダーの回転式内部ベルトと駆動接触エリア正面の車輪Ｒ‐２の下にあり、下刃軸２本を動かす。
【００２７】
破砕刃の二重展開バージョン：
特定の種類の廃棄物の破砕に上ぶたを開ける機械的操作では不十分で、上ぶたが１度開くごとに、破砕刃の各軸が１回転以上するのが適切と考えられる場合には、上ぶた下部の左右に接触する側面回転式ベルトと、左右シリンダーの回転式ベルトの間に、二重展開の歯車を介在させるだけでよい。上ぶた駆動接触する歯車が、同心の別の歯車を２倍（または３倍、４倍など）の歯数で同時に動かし、各サイドシリンダーの回転式ベルトを動かす役割を果たす。
【００２８】
発明の工業的用途が可能な方法の示唆：
本発明によって解決を図る技術的問題に関し、本明細書の初めに記載した説明（以前の背景技術に対して今回の技術が想定するメリットを表示）を損なわずに、今回の特許出願が請求する技術的要素の実現方法に関し、該当する技術的要素は今回の明細書の「解説」部分で十分に述べられていることを考慮に入れた上で（７０以上の図面に関する直接的な参照事項を介した詳述と共に、当然ながら「背景技術」を知る人々のためには例の参照を通して、間接的ではあるが簡潔明瞭な方法で示した）、前述の破砕式コンテナ構築用の素材に関しては、一般的に市場で入手可能な素材ですべての部品を構築できることは特筆するに値するだろう。容器にはプラスチック、システムのメカニズムの残りの部分に関しては金属を利用できる（刃軸や歯車、シリンダー、刃にはステンレス、また、刃の種類や、利用が適切なその他の部品によっては、耐久性に優れたプラスチックやゴムも利用できる。刃軸およびサイドシリンダーからかかる圧力によって強いねじりに耐えなければならないフレームには、高硬度のアルミニウムを利用する可能性やメリットも含まれている。）これにより、破砕式コンテナの現行のシステムの耐久性は保ちつつ、重量を軽減することが可能になる。本願の手続きの都合上の理由より、各部品の資材構成の厳密な説明をここで取り上げる必要はないだろう。
【図面の簡単な説明】
【００２９】
【図１】図１．１は閉じた状態のコンテナの正面図、図１．２は閉じた状態のコンテナの側面図である。
【図２】図２．１はコンテナ外面の側面図、図２．２はコンテナ右壁背後の内部側面図、図２．３はふたを開けた状態でフレームの位置付けが加えてあるコンテナ内部の右側である。
【図３】図３．１はスライド式上ぶたを開ける前の、サイドシリンダーの共通ベースの図。４本の刃軸を通る誘導エリアを表示する。図３．２はスライド式上ぶたを開けた後のサイドシリンダーの共通ベースの図であり、Ｂ４本の刃軸を通る誘導エリアを表示する。
【図４】図４．１はスライド式上ぶたが移動する前の閉じた状態を内側から見た左サイドシリンダーの図、図４．２はスライド式上ぶたを一番上まで移動させた状態を内側から見た左サイドシリンダーの図である。
【図５】図５．１はスライド式上ぶたが移動する前の閉じた状態を外側から見た右サイドシリンダーの図であり、軸のチェーンの配置を表示する。図５．２はスライド式上ぶたを一番上まで移動させた状態を外側から見た右サイドシリンダーの図である。
【図６】図６はシリンダーと刃軸の支えのフレームの図である。
【図７】図７．１は両シリンダーの共通ベースと刃軸の位置を表示した、コンテナ内部の側面図、図７．２はシリンダーと刃軸の横断位置を側面から見た様子を表示した、コンテナ内部の正面図、図７．３はフレームの側面図である。上軸Ｅ‐１とＥ‐３、下軸Ｅ‐２とＥ‐４、歯止めの軸受けと小型歯車５と６の位置を表示する。
【図８】図８．１はフレームの上面図、４本の刃軸とフレーム側面にある２本の駆動シリンダーの収納の位置を表示する。図８．２は図８．４で表示のコンテナを９０度回転させた状態の図、図８．３はコンテナの前方立面‐斜めの図、容器内のフレームの固定場所とフレーム側面上のシリンダーの軸を表示する。図８．４は図８．３で表示の初期位置のコンテナを９０度回転させた側面図である。
【図９】図９．１は通常の位置にある刃の図、図９．２は加力位置にある刃の図、図９．３．１はスプリングボックスのふた、図９．３．２はカムの空洞から軸に刃が入る位置の図、図９．４．１は通常の機能位置にある、スプリングボックス（ふたなし）の図、図９．４．２は閉めた状態の刃のスプリングのボックスである。
【図１０】図１０．１は通常の位置にある刃の図（垂直）、図１０．２は左斜めの位置にある刃の図、図１０．３は右斜めの位置にある刃の図である。図１０．４は通常の位置にある刃と回転の限界の表示する。図１０．５は垂直位置にある刃と通常の位置にあるスプリングの合体図、図１０．６は左斜めの位置にある刃と左への圧力に耐えるスプリングの合体図、図１０．７は右斜めの位置にある刃と右への圧力に耐えるスプリングの合体図である。
【図１１】図１１．１はさまざまな側圧に対し、多様に位置を変える刃の斜側面の移動性、図１１．２は側圧による刃の多様な位置に対する、刃の推力の内部カムのさまざまな位置を表示する。
【図１２】図１２．１は中心位置にあるカムの図、図１２．２は左（左斜め）位置にあるカム、図１２．３は右（右斜め）位置にあるカムである
【図１３】図１３．１は刃の配置を表示したコンテナの側面図、図１３．２はサイドシリンダーから見た、刃軸の水平断面図、図１３．３はフレーム側面上の刃軸の配置の詳細、図１３．４は金属製容器用の刃の側面図（上刃はクロー６個、下刃はクロー４個またはカムがローブに取り付けてある）である。
【図１４】プラスチック容器用の刃のバージョンである。
【図１５】アルミ箔ラミネートダンボール容器用の刃のバージョンである。
【図１６】紙・板紙用の刃のバージョンである。
【図１７】有機ゴミ用の刃のバージョンである。
【図１８】ガラス製品用小型ハンマー付き刃のバージョンである。
【図１９】リサイクル不可の廃棄物用の刃のバージョンである。
【図２０】容器から廃棄物を外へ出すための、フレームを開けるプロセス（３段階）である。
【図２１】図２１．１はゆとりの耐性システムの配置（立面および側面）、図２１．２はゆとりの耐性システムの位置を上から見た図、図２１．３はゆとりの耐性システムの配置（側面立面図）、図２１．４はゆとりの耐性システムの前方立面図、図２１．５はゆとりの耐性システムの詳細の拡大図、図２１．６は軸３と４の安定位置、図２１．７は軸の移動の加力位置である。
【図２２】図２２．１は外側から見た手動式家庭用コンテナの側面図、図２２．２は内側から見た手動式家庭用コンテナの側面図、図２２．３は手動式家庭用コンテナの上面図、図２２．４は手動式家庭用コンテナの正面図である。
【図２３】図２３．１は４本の刃軸と、サイドモーターによって作動する２本の駆動シリンダーの収納位置を表示するフレームの上面図、図２３．２は図２３．４で表示のコンテナを９０度回転させた状態の図、図２３．３はフレームの固定場所を表示するコンテナの前方立面‐斜めの図、図２３．４は図２３．３で表示の初期位置のコンテナを９０度回転させた側面図である。
【図２４】図２４．１は外側から見た電動バージョンの家庭用破砕式コンテナの側面図、図２４．２は内側から見た電動バージョンの家庭用破砕式コンテナの側面図、図２４．３は電動バージョンの家庭用破砕式コンテナの上面図、図２４．４は電動バージョンの家庭用破砕式コンテナの正面図である。
【図２５】図２５は混合バージョンの家庭用破砕式コンテナの正面図（手動‐電動混合型）である。
【図２６】図２６．１は第一段階（容器とフレームが閉じた状態）：特許請求の範囲の請求項２０のフックの解説図、図２６．２は第二段階：フレームの留め金にブラシの圧力を受けた状態であり、図２６．３は第三段階：容器上部のふたからフックが最終的に解除された状態である。
【符号の説明】
【００３０】
１  湾曲型のスライド式上ぶた
２  防護用跳ね上げ式バイザー
３  コンテナの容器
４  開閉用補助ペダル
５  運搬用の取っ手
６  容器で支えられたスライド式ふたの軸
７  ふたの開閉用制動チェーン
８  ふたの手動開閉の補助用歯車のボックス
９  スライド式ふたの内側にある回転用歯付ベルト
１０  サイドシリンダー
１１  刃軸を回転させる歯車の駆動チェーン
１２  開閉用ペダルのサイドレバー
１３  歯付きブレーキパッド
１４  サイドシリンダーと４本の刃軸の支えのフレーム
１５  Ｅ‐１、Ｅ‐２、Ｅ‐３、Ｅ‐４の軸を同一方向に回転させるための歯止めの軸受け
１６  上ぶた、ペダル、ブレーキパッドのストローク終了地点
１７  各サイドシリンダーの軸
１８  軸を用いたフレーム上へのシリンダーの設置。ストローク開始位置のシリンダーを横断する４本の軸の誘導エリアの配置を表示
１９  フレーム上へのシリンダーの設置。シリンダーがストローク終了地点に到達し、シリンダーを横断する４本の軸の誘導エリアの配置を表示
２０  上軸Ｅ‐１を回転させる歯車Ｒ‐１
２１  下軸Ｅ‐２を回転させる歯車Ｒ‐２
２２  上軸Ｅ‐３を回転させる歯車Ｒ‐３
２３  下軸Ｅ‐４を回転させる歯車Ｒ‐４
２４  上軸Ｅ‐３の歯車を回転させる小型歯車Ｒ‐５
２５  下軸の間を異常な量の廃棄物が通り、ゆとりの耐性システム内で軸Ｅ‐４が通常の位置から外れた場合に、上軸Ｅ‐３と下軸Ｅ‐４を結合するチェーンをぴんと張る目的で用意された小型歯車Ｒ‐６
２６  上から見たシリンダーの側面
２７  チェーンなしの歯車が収納された、左サイドシリンダーの内面
２８  Ｅ‐３の刃の上軸
２９  Ｅ‐４の刃の下軸
３０  Ｅ‐２の刃の下軸
３１  Ｅ‐１の刃の上軸
３２  チェーン付きの歯車が収納された、右サイドシリンダーの内面
３３  上から見たシリンダーの側面
３４  斜めから見た刃の状態
３５  斜めから見た刃軸の状態
３６  左シリンダー
３７  右シリンダー
３８  上ぶたの開閉軸の軸受け
３９  上軸の刃
４０  下軸の刃
４１  コンテナ容器の後方上部の縁上にあるフレームのヒンジ
４２  シリンダーの底
４３  共通刃
４４  刃軸のカム
４５  軸の通る穴の周辺の刃の内部に収納された円形スプリング
４６  各刃のスプリングボックスのふた
４７  刃の内部に収納された円形スプリング配置用のふた
４８  刃を通して軸とカムを挿入するため、刃に用意された開口部
４９  斜め‐側面の圧力を受けた刃が、相関する初期位置へ戻れるよう、刃の間に設置された安定スプリング
５０  刃の配置の用意のある刃の共通軸
５１  刃の共通軸と各刃の推力の内部カムの表示
５２  金属製容器の接近用の上刃
５３  金属製容器の破砕用の下刃
５４  プラスチック容器の接近用の上刃
５５  プラスチック容器の破砕用の下刃
５６  アルミ箔ラミネートダンボール容器の接近用の上刃
５７  テトラパックの破砕用の下刃
５８  紙・板紙の接近用の上刃
５９  紙・板紙の破砕用の下刃
６０  有機ゴミの接近用の上刃
６１  有機ゴミの破砕用の下刃
６２  有機ゴミ破砕用刃の金属製歯車
６３  有機ゴミ破砕用刃のゴム製ローラー
６４  ガラス製品破砕用の小型ハンマー付き刃
６５  ガラス製品用小型ハンマー
６６  ガラス製品破砕用の小型ハンマーの落下段階の円盤
６７  ガラス製品の「連続」破砕用円盤の構成。まったく逆の構成と相反する
６８  リサイクル不可の廃棄物の接近用の上刃
６９  リサイクル不可の廃棄物の破砕用の下刃
７０  リサイクル不可の廃棄物の破砕用二重刃の切断刃
７１  リサイクル不可の廃棄物の破砕用二重刃の偏心駆動刃。蛇行して切断する効果がある
７２  ゆとりの耐性システム
７３  フレーム内のＥ‐３とＥ‐４の軸の安定位置
７４  フレーム内のＥ‐３とＥ‐４の軸の加力位置
７５  軸を収納するボックスとゆとりの耐性システムのスプリング
７６  耐性スプリングとゆとりの耐性システムの軸の安定
７７  耐性の幅
７８  底の歯車
７９  家庭用破砕式コンテナのレバーバー
８０  家庭用破砕式コンテナのレバーのストローク開始地点
８１  家庭用破砕式コンテナ開口部の上窓
８２  家庭用破砕式コンテナ開口部の上ぶた
８３  開口部のふたのヒンジ
８４  家庭用破砕式コンテナのサイドシリンダー
８５  家庭用破砕式コンテナのフレーム
８６  家庭用破砕式コンテナの刃軸収納のための歯止めの軸受け
８７  家庭用破砕式コンテナのレバーのストローク終了地点
８８  家庭用破砕式コンテナ用クローゼットの天板
８９  家庭用破砕式コンテナのフレームのクランプねじ
９０  歯止めの軸受けに収納された刃軸を動かす役目を持つ歯車
９１  上軸の刃
９２  下軸の刃
９３  破砕済み廃棄物用ボックス
９４  脚／歯車
９５  破砕式コンテナの電気モーター
９６  電池
９７  モーターへのバッテリー配線
９８  代替の電力の外部供給用コンセント
９９  家庭用破砕式コンテナの電気モーター
１００  クランプ
１０１  伝動用チェーン
１０２  駆動軸
１０３  刃の上軸
１０４  刃の下軸
１０５  フレームの前方側面
１０６  フックの圧力を支えるスプリング
１０７  容器上縁の前方側面
１０８  フック
１０９  留め金
１１０  回収トラックのブラシの歯
１１１  容器からフレームを解除するための、フレームからのフックの解除